(57)【要約】【課題】人の健康維持活動を助けるために、人の日常の健康チェックに人の爪の表面を照明し、その反射光の照度の強さで健康度を判断する技術を提供することを目的とする。産業現場で働く人の健康度が分かり、産業現場で問題のメンタルヘルスの解決の一助となる。【解決手段】爪での健康チェック機は、ＬＥＤ光源の光を爪の垂直上方４３度の照射光軸から非球面レンズを使い照射し、爪の表面を照明する。その爪の表面粗度、色の状態は反射光の強弱になる。この反射光は垂直から反射光軸４３度上方に反射される。この反射光をこの光軸上の集光レンズで集光し、照度計センサー部に導き、照度計の表示部で照度表示を行う。両手の親指の爪の最高照度を平均化し、平均照度を爪大きさ係数で補正照度とし、Ａ，Ｂ，Ｃ照度ランクと比較して、その人の健康度Ａ，Ｂ，Ｃランキングを行う。【選択図】図１
0003127962.tif 000002
【実用新案登録請求の範囲】
【請求項１】
人の手の指の爪の表面の全体に垂直から入射角ほぼ４３度で白色光を照射する照射光射出手段と、
該照射光で爪の表面の全体を照明し、その爪の反射光を垂直から反射角ほぼ４３度で集光した光を受光し、その照度を測定する照度測定手段と、
測定結果の照度値から健康度を示すランクを決定する手段と
を備えることを特徴とする爪を利用した健康チェック機。
【請求項２】
請求項１に記載の爪を利用した健康チェック機における健康度の標準となる標準爪であって、
基準の大きさである人工爪＃１の表面粗度及び色を変えて、爪の形、爪の表面粗度、及び爪の色で健康度のランク分けを行う際の標準となるように作成したことを特徴とする標準爪。
【請求項３】
請求項１に記載の爪を利用した健康チェック機において、
被測定者の爪の大きさに応じて、測定結果の補正を行う手段と、
補正した測定結果から健康度を示すランクを決定する手段とを、
さらに備えることを特徴とする爪を利用した健康チェック機。
【請求項４】
請求項１に記載の爪を利用した健康チェック機において、
被測定者の指の高さを変更し、照明光軸が反射光軸に折り返す基点に爪の表面が来るように調整する手段を、さらに備えることを特徴とする爪を利用した健康チェック機。
【請求項５】
請求項１に記載の爪を利用した健康チェック機において、
被測定者の両手の親指の最大照度を測定する手段と、
その平均照度を算出する手段と、
算出した平均照度から健康度を示すランクを決定する手段とを、
さらに備えることを特徴とする爪を利用した健康チェック機。
【考案の詳細な説明】
【技術分野】
【０００１】
本考案は、人の爪の表面を照明しその反射光を集光し照度計に入射させる光学系を有する健康チェック機に関する。
【背景技術】
【０００２】
従来より、爪によりその人の健康状態を推し量ることができることは知られている。例えば、非特許文献１には、爪の形や色から種々の健康状態を推し量ることができることが記載されている。特許文献１には、皮膚の表面に光を照射し、皮膚面で直接反射した光を受光してその光量を測定し、測定結果から皮膚の平滑度を測定する装置が開示されている。皮膚の平滑度から健康状態を知ろうとするものである。特許文献２には、人の爪を撮影し、ＲＧＢの３つの波長域のそれぞれにおける分光成分に応じた３波長域画像データを取得し、これを健常者の爪の色の平均値である基準値と比較することによって、健康状態の検査を行う技術が開示されている。
【特許文献１】実開昭５８−３９２０１号
【特許文献２】特開２００５−９４１８５号
【非特許文献１】「爪は病気の警報機」、平成９年１０月１３日発行、著者：東禹彦、発行所：祥伝社、ＮＯＮ・ＢＯＯＫ−３９４
【考案の開示】
【考案が解決しようとする課題】
【０００３】
上記の特許文献１に記載の技術は、測定対象が皮膚であり爪ではない。上記の特許文献２に記載の技術は、測定対象が爪であるが、爪の測定は分光計を使う分光測定法である。
【０００４】
これに対し、本考案は、爪を対象にした健康チェックのための反射計であり、特許文献１のものが皮膚を対象としているのとは異なる。また本考案は、爪の反射特性を照度計の照度の単位で表し、特許文献２の分光計を使う分光測定とは異なる。
【０００５】
本考案は、人の健康維持活動を助けるために、人の日常の健康チェックに人の爪の表面を照明し、その反射光の照度の強さで健康度を判断する技術を提供することを目的とする。
【課題を解決するための手段】
【０００６】
上記目的を達成するために、請求項１に係る考案は、人の手の指の爪の表面の全体に垂直から入射角ほぼ４３度で白色光を照射する照射光射出手段と、該照射光で爪の表面の全体を照明し、その爪の反射光を垂直から反射角ほぼ４３度で集光した光を受光し、その照度を測定する照度測定手段と、測定結果の照度値から健康度を示すランクを決定する手段とを備えることを特徴とする。
【０００７】
人の爪の形は、指先方向には直線か弧、指の断面方向には弧を描いており、爪の表面は可視光に対して光沢反射成分があり、４５度で正反射させたときの反射光が最大照度を取ると考えられるが、実際の爪での実験によれば、最高照度を示す反射角は正反射より内側の４３度にあり、この角度が爪の断面方向の最適照明角となることが、考案者により確認された。この場合、受光角も爪の正反射を受けて垂直から４３度の角度である。その反射光の照度は、爪表面粗度、爪の色で増減するものであり、その照度値から健康状態をチェックできる。
【０００８】
請求項２に係る考案は、請求項１に記載の爪を利用した健康チェック機における健康度の標準となる標準爪であって、基準の大きさである人工爪＃１の表面粗度及び色を変えて、爪の形、爪の表面粗度、及び爪の色で健康度のランク分けを行う際の標準となるように作成したことを特徴とする。
【０００９】
請求項３に係る考案は、請求項１に記載の爪を利用した健康チェック機において、被測定者の爪の大きさに応じて、測定結果の補正を行う手段と、補正した測定結果から健康度を示すランクを決定する手段とを、さらに備えることを特徴とする。例えば、健康チェック機で測定したその人の爪の照度測定値を、人工爪サイズで補正をする。本考案の健康チェック機で人工爪＃１から＃１０のそれぞれの照度を測定し、それぞれの照度は標準爪のサイズである＃１の照度で割り算を行い、それぞれの係数を得ておく。それを人工爪＃１から＃１０に対応した係数表とする。係数の利用は、人それぞれで爪の大きさが異なり、その人の爪のサイズと人工爪＃と合うサイズを選び、係数表からその係数を読み取り、その人の爪の係数とする。その人の爪の測定照度をその係数で割り算し、その人の補正照度とする。この補正照度は、標準爪＃１サイズに対して補正されている。この補正照度の値はＡ，Ｂ．Ｃ標準爪の照度の値と比較し、その照度からその人の健康度Ａ，Ｂ，Ｃランクを判定する。このようにして、人によって爪の大きさが異なることを考慮して照度を補正することで、より正確な判断が可能である。
【００１０】
請求項４に係る考案は、請求項１に記載の爪を利用した健康チェック機において、被測定者の指の高さを変更し、照明光軸が反射光軸に折り返す基点に爪の表面が来るように調整する手段を、さらに備えることを特徴とする。これは、健康チェック機の照明と反射の基点で爪の最大照度を求めようとするものである。すなわち、その人の爪で最大照度をもたらす高さ調整の方法であり、人それぞれで指の高さが異なり、その位置合わせの方法である。例えば、その基点と指の間に数枚の敷板を設ける。その指を乗せたまま、目視で、爪の置く角度と照度計の照度を読み、敷板の枚数を変えながら、その人の最大照度を測定する。使用する敷板は厚さ１ｍｍから２ｍｍ程度で黒色表面が望ましい。
【００１１】
請求項５に係る考案は、請求項１に記載の爪を利用した健康チェック機において、被測定者の両手の親指の最大照度を測定する手段と、その平均照度を算出する手段と、算出した平均照度から健康度を示すランクを決定する手段とを、さらに備えることを特徴とする。上記非特許文献１には、爪が水分の影響で爪の透明度が変わることが明らかにされている。この確認を爪での健康チェック機で実験を行った結果、右手と左手はその人の手の作業状態で爪にしみこむ水分量が異なり、爪の色に影響して、爪の反射率が異なり照度に影響が出てくることが実験で確認できた。本考案の健康チェック機では、右手と左手の爪の反射率のばらつきのバランスを取るために、右手の親指と左手の親指の平均値を測定照度とする。親指を選択する理由として、万人の手の親指は５本の指の中で、最大の表面積を持っていて、その人の最大照度が得られ、さらに、その人の親指の爪の特徴が大きく現れているからである。
【考案の効果】
【００１２】
本考案によれば、下記のような効果がある。まず、人の健康度チェックは医療行為ではないので、健康な人々が気軽にチェックできることが必要である。手の爪は体の先端にあり、手軽に測定できる。爪の反射を測定するには１０〜２０ルックスの可視光があれば十分である。このことから、この爪での健康チェックは人体に痛み、危害を与えることなく測定が出来る。測定の照度の単位、ルックスは万人が常に見聞きするなじみのある表現で健康度が示される。
【００１３】
爪での健康チェックを受けた人々は、自身の照度値とＡ，Ｂ，Ｃ標準爪の照度を比較して、Ａ，Ｂ，Ｃランクを自分自身で確認できる。この判定法は他人に知られることなく、自身の健康度が自己管理できるので、競争社会の企業の社員の健康管理能力が高まり、その結果、企業の健康経営の推進に役立つ。
【００１４】
例えば人工爪＃１サイズのＡ．Ｂ．Ｃ標準爪の１種類を基準として用意しておき、人工爪＃２から＃１０は＃１サイズ基準の大きさ係数として、数値で用意する。これにより、実際に用意する標準爪は１種類で済む。人工爪を使用したＡ，Ｂ，Ｃ標準爪は校正に使用できる。爪での健康チェック機に使用している光源の劣化や、設置場所の電圧低下の場合、Ａ，Ｂ，Ｃ標準爪を健康チェック機で照度測定を行い、その場合のＡ，Ｂ，Ｃランクとすることが出来る。
【００１５】
爪での健康チェックの測定で、測定者自身が親指をその光軸の基点に合わせるべく、例えば数枚の敷板を用いて指の高さを調整できるようにする。その調整作業は自身で照度計の数値が最大照度になるように、指の下の敷板の枚数を変えながら行えばよい。その作業で最高照度を得た時の敷板の枚数を記録しておけば、次回の測定作業は敷板の枚数を迷うことなく選ぶことが出来る。
【００１６】
爪での健康チェックは、両手の親指の爪の最高照度を測り、その平均照度を計算し、大きさ係数で補正計算を行い、例えばその補正照度とＡ，Ｂ，Ｃ健康ランク表で比べて、その人の健康度Ａ．Ｂ．Ｃランクを決定する。この一連の作業は測定者の爪に数十ルックスの弱い可視光照明を当てるだけで、測定者に痛みがまったく加わることなく、一連の作業は２−３分で終了する。この爪での健康チェックは簡単で、専門の健康知識がなくても、その人の健康度を示すことが出来る。
【考案を実施するための最良の形態】
【００１７】
以下、図面を用いて本考案の爪を利用した健康チェック機の実施の形態を説明する。
【００１８】
図１及び図２は、本考案の実施形態に係わる爪を利用した健康チェック機の概略構成を示す。図２は健康チェック機１００の外観図であり、カバーの一部分を取り去って内部の光学系が見えるようにした図である。図１は、図２の健康チェック機１００の光学系の部分を含む断面図である。
【００１９】
これらの図において、１０１は基板、１０２Ｌは左側カバー、１０２Ｒは右側カバー、１０３は照明ユニット、１０７は受光ユニット、１１１は照度計を示す。照明ユニット１０３は、角度調整及び半固定機能がある金具で基板１０１の上に取り付けられている。その取り付け角度は垂直からほぼ４３度が望ましい。一方、受光ユニット１０７も角度調整及び半固定機能がある金具で基板１０１の上に取り付けられている。その取り付け角度も垂直からほぼ４３度が望ましい。爪への照明と反射角度をそれぞれ垂直からほぼ４３度の角度としているのは、実験の結果、ほぼその角度のときに最高照度が得られるからである。このように設定した照明ユニット１０３の光軸と、受光ユニット１０７の光軸の交わる点を基点とする。基板１０１の下側には防振ゴム足が設けられており、本健康チェック機１００を机上に設置したときには、この防振ゴム足で支えるようにしている。
【００２０】
照明ユニット１０３内には白色ＬＥＤ１０４が設けられ、所定のスイッチをオンすることで電源ユニット２０１から供給される電力で該白色ＬＥＤ１０４が点灯される。１０５は非球面レンズ、１０６はフォーカス調節部である。人の爪のみ反射させるために、爪の面積いっぱいに照明を施すように調整するものとする。そのために、光源の白色ＬＥＤ１０４は、その先にフォーカス調整機能を持つ非球面レンズ１０５を使用して、爪の面積に合わせた照明スポットを作るものとする。１１０は、受光ユニット１０７に取り付けられた鏡筒カバーである。爪のみの反射光を採り込むために、鏡筒カバー１１０の内面は黒色にしてある。鏡筒カバー１１０内には、集光レンズ１０８が設けられている。１０９は照度計センサー部である。通常の照度計のセンサーは大きな受光角を持っている。このセンサー１０９の前面に集光レンズ１０８を設けて、爪の反射光をセンサー１０９に導くようにしている。照度計センサー部１０９からの信号線は、照度計表示部１１２を有する照度計１１１に接続されている。照度計１１１は電池駆動方式であり、所定のスイッチをオンすると、照度計センサー部１０９で受光した光の照度を照度計表示部１１２に表示する。
【００２１】
基板１０１の前側の縁部分に、指１１５を載せるための切り込みを設ける。１１３は、その切り込みに、図２（ｂ）に示す敷板２０２を何枚か重ねた様子を示す。重ねた敷板１１３の上に測定する指１１５を載せる。敷板１１３は、測定する指１１５の爪１１４の上面が、基板１０１の上面とほぼ同じ高さになるように調整するためのものである。
【００２２】
なお、測定のために人の爪を置く場所は、迷光を防ぐために黒色の材料、黒色塗装を施しておく。測定は目視で測定している爪の表面を観察して、照度計の照度が最高値を示す爪の最適位置を見つけることで、そのために測定中の爪の上方と目視している空間が必要である。
【００２３】
具体的に、測定は以下のように行う。照明光軸１２２に沿って射出された照明ユニット１０３の白色光は、爪１１４の上面を照明し、爪１１４上面の反射光は、受光光軸１２３に設置された受光ユニット１０７で受光される。受光された光は照度計センサー部１０９で光電変換され、その照度が照度計表示部１１２にルックス表示される。被測定者は、爪１１４のほぼ垂直上方から眼１０２で１２１に示すように観測し、指１１５を動かし、爪１１４に当たる最適な照明位置を見つけながら照度計表示部１１２の照度を観測する。この観測は、敷板１１３の枚数を変えながら、最高照度を求めるものとする。この最高照度が被測定者の測定照度となる。
【００２４】
図３は、図１及び図２の実施形態に係る爪照明と受光の光学系を示す図である。垂直からθ１＝４３度の照射角の照明光軸上にある白色ＬＥＤ１０４から射出した可視光は、非球面レンズ１０５とフォーカス調節部１０６によって、光軸基点上にある爪１１４の表面積に合わせる。爪１１４の表面で反射した光は、垂直からθ２＝４３度の反射角の反射光軸にある集光レンズ１０８によって集光され、照度計センサー部１０９に入射する。
【００２５】
図４は、最大照度を得るための、爪１１４と照明の位置合わせを例示する図である。万人によって爪の大きさ及び指の高さは異なる。本実施形態の健康チェック機１００では、個々の測定で最大照度Ｅを得るために、被観測者の目視によって、爪１１４と照明スポットとの位置合わせを、４１１に示す高さＨ、４１２に示す前後Ｌ、及び４１３に示す回転θの３つ方向で行う。高さ方向Ｈは、敷板１１３の枚数を変えて調整する。前後方向Ｌは、指１１５を前後に移動させて調整する。指１１５の角度θは、指１１５の軸を回転させて調整する。４０１は爪１１４を照射する光、４０２は反射光を示す。
【００２６】
次に、人工爪サンプルと標準爪について説明する。
【００２７】
図１の１３０は、人工爪サンプルを示す。爪が健康のバロメータとなることについて、例えば上記非特許文献１の２６頁〜２８頁には爪の表面粗度との関係が記載され、８２頁〜１０２頁には爪の色との関係が記載されている。そのような関連性の確認のために、本実施形態の健康チェック機と人工爪を使用して実験を行った。実験に使用した人工爪は、プラスチックス製の付け爪「Natural Tips 200」を使用した。チップ＃１が大きさが１番大きいもの（図１の１３１）、チップ＃１０が１番小さいもの（図１の１３２）である。図６に、各チップの照度の測定結果を示す。この結果、爪の大きさに応じて照度が変化することが分る。そこで、チップ＃１の照度を１として、各チップの照度の割合を求めたものが図６の係数の欄の値である。実際の測定の際には、被測定者の爪１１４の大きさに合う人工爪サンプル１３０を＃１〜＃１０人工爪サンプルから選び、その＃サンプルの係数を図６の係数表から読み取り、先の測定照度をその係数で割り算する。割り算の結果が、被測定者の補正照度である。
【００２８】
さらに、種々の被測定者の爪を測定して、爪の形と照度の関係、爪の表面粗度と照度の関係、爪の色（明度）と照度の関係、及び、爪の水分と照度の関係を求めた。図７にそれらの関係を示す。
【００２９】
以上の結果を応用して、健康度を表すための人工爪を使った標準爪（図１の１４０）を作成した。標準爪は、一番受光面の大きな人工爪の大きさの＃１とする。標準爪はＡ，Ｂ．Ｃランクの３種類とし、Ａランク標準爪（図１の１４１）は粗度は細かく明るい色、Ｂランク標準爪（図１の１４２）は中粗度で中の明るさの色、Ｃランク標準爪（図１の１４３）は粗い粗度で暗い色を施す。これらの標準爪の作成は、まず粗度の加工から行う。＃１人工爪の表面を、Ａ，Ｂ，Ｃランクに合わせてサンドペーパのメッシュを定めておき、人工爪の表面を所定のサンドペーパで削る。次にＡ，Ｂ，Ｃの着色は、ランクに合わせたネイルラッカを調合しておき、Ａ，Ｂ，Ｃランク祖度の上に塗装する。こうして出来上がったＡ，Ｂ，Ｃ標準爪を、本実施形態の健康チェック機でそれぞれの照度を測定した。図８にその測定結果を示す。これらのＡ，Ｂ，Ｃ標準爪はそれぞれ照度と対応しており、人の爪の測定結果の標準となる。
【００３０】
図５は、本実施形態の健康チェック機１００を使用した健康チェックのフローチャートを示す。上述の本実施形態の健康チェック機１００を使用して、右手親指の爪の最大照度５０１を求め、左手親指の爪の最大照度５０２を求める。それらの最大照度の平均値５０３を求め、平均照度５０６とする。その平均照度５０６を、爪の大きさ係数５０５で割り算する。爪の大きさ係数５０５は、測定した右手親指と左手親指の大きさと＃１〜＃１０人工爪サンプルとを比較して、ほぼ同じ大きさの人工爪サンプルの係数を図６の係数表から読み取って決定した値である。平均照度５０６を爪の大きさ係数５０５で割り算した結果が補正照度５０９である。その補正照度５０９とＡ，Ｂ，Ｃ標準爪５０７の照度５０８とを比較する。標準爪の照度５０８は、図８に示した通りである。合致するＡ，Ｂ．Ｃランク照度から、その人の健康度Ａ，Ｂ，Ｃのランキング５１０を決定する。
【産業上の利用可能性】
【００３１】
２１世紀の我が国の産業構造は高度化し、工場の操業は数値制御で精密度が高くなってきている。それらの産業で働く人々の頭脳の疲労度も高まってきている。一方、働く環境も高度化、効率化し、クリーンルームや３交代制で、人々が太陽光にあたる機会も少なくなり、その結果はビタミンＤ３の欠乏、脳内活性化物質セロトニンの不活性から、不定愁訴といわれるメンタルヘルスが問題になってきている。このような産業で働く人々が日々、爪での健康チェック機によって、自身の健康度が把握できれば、自身で健康維持のための行動が行える。
【００３２】
我が国の少子高齢化は、現産業を堅持するために健康経営の方向に向かっている。産業で働く人々の健康を維持し持続させるために、産業の現場で簡易に行える健康チェックが求められる。爪での健康チェック機は、人の手の爪という常に露出した部分で、２〜３分程度の時間で簡単に、自身の健康度を知ることが出来る。
【００３３】
爪での健康チェック機が普及し、産業で働く人々の健康度に関する認識が高まれば、人々の健康志向が高まり、人々の健康レベルの向上は医療費の低下につながり、企業の負担する厚生費、国が負担する医療費が低下し、その余った金を健康経営、健康行政に投資できる。
【図面の簡単な説明】
【００３４】
【図１】本考案の実施形態に係る爪を利用した健康チェック機の概略構成図
【図２】実施形態の爪を利用した健康チェック機の外観図
【図３】実施形態の健康チェック機の照明及び受光の光学系を示す図
【図４】最大照度を得るための、爪と照明の位置合わせを例示する図
【図５】爪での健康チェックのフローチャート図
【図６】各チップの照度の測定結果および係数表を示す図
【図７】爪の形と照度の関係、爪の表面粗度と照度の関係、爪の色（明度）と照度の関係、及び、爪の水分と照度の関係を示す図
【図８】標準爪の照度測定結果などを示す図
【符号の説明】
【００３５】
１００…爪を利用した健康チェック機、１０１…基板、１０２Ｌ，１０２Ｒ…カバー、１０３…照明ユニット、１０４…白色ＬＥＤ、１０５…非球面レンズ、１０６…フォーカス調節部、１０７…受光ユニット、１０８…集光レンズ、１０９…照度計センサー部、１１０…鏡筒カバー、１１１…照度計、１１２…照度計表示部、１１３，２０２…敷板、２０１…ＬＥＤ電源部、１１４…爪、１１５…指、１３０…＃１〜＃１０人工爪サンプル、１４０…Ａ，Ｂ，Ｃ標準爪。
【図１】
0003127962.tif 000003
【図２】
0003127962.tif 000004
【図３】
0003127962.tif 000005
【図４】
0003127962.tif 000006
【図５】
0003127962.tif 000007
【図６】
0003127962.tif 000008
【図７】
0003127962.tif 000009
【図８】
0003127962.tif 000010
【手続補正書】
【提出日】平成18年10月20日(2006.10.20)
【手続補正１】
【補正対象書類名】実用新案登録請求の範囲
【補正対象項目名】全文
【補正方法】変更
【補正の内容】
【実用新案登録請求の範囲】
【請求項１】
人の手の指の爪の表面の全体に垂直から入射角ほぼ４３度で白色光を照射する照射光射出手段と、
該照射光で爪の表面の全体を照明し、その爪の反射光を垂直から反射角ほぼ４３度で集光した光を受光し、その照度を測定する照度測定手段と、
測定結果の照度値から健康度を示すランクを決定する手段と
を備えることを特徴とする爪を利用した健康チェック機。
【請求項２】
請求項１に記載の爪を利用した健康チェック機において、
被測定者の爪の大きさに応じて、測定結果の補正を行う手段と、
補正した測定結果から健康度を示すランクを決定する手段とを、
さらに備えることを特徴とする爪を利用した健康チェック機。
【請求項３】
請求項１に記載の爪を利用した健康チェック機において、
被測定者の指の高さを変更し、照明光軸が反射光軸に折り返す基点に爪の表面が来るように調整する手段を、さらに備えることを特徴とする爪を利用した健康チェック機。
【請求項４】
請求項１に記載の爪を利用した健康チェック機において、
被測定者の両手の親指の最大照度を測定する手段と、
その平均照度を算出する手段と、
算出した平均照度から健康度を示すランクを決定する手段とを、
さらに備えることを特徴とする爪を利用した健康チェック機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項２に係る考案は、請求項１に記載の爪を利用した健康チェック機において、被測定者の爪の大きさに応じて、測定結果の補正を行う手段と、補正した測定結果から健康度を示すランクを決定する手段とを、さらに備えることを特徴とする。例えば、健康チェック機で測定したその人の爪の照度測定値を、人工爪サイズで補正をする。本考案の健康チェック機で人工爪＃１から＃１０のそれぞれの照度を測定し、それぞれの照度は標準爪のサイズである＃１の照度で割り算を行い、それぞれの係数を得ておく。それを人工爪＃１から＃１０に対応した係数表とする。係数の利用は、人それぞれで爪の大きさが異なり、その人の爪のサイズと人工爪＃と合うサイズを選び、係数表からその係数を読み取り、その人の爪の係数とする。その人の爪の測定照度をその係数で割り算し、その人の補正照度とする。この補正照度は、標準爪＃１サイズに対して補正されている。この補正照度の値はＡ，Ｂ．Ｃ標準爪の照度の値と比較し、その照度からその人の健康度Ａ，Ｂ，Ｃランクを判定する。このようにして、人によって爪の大きさが異なることを考慮して照度を補正することで、より正確な判断が可能である。
【手続補正４】
【補正対象書類名】明細書
【補正対象項目名】００１０
【補正方法】変更
【補正の内容】
【００１０】
請求項３に係る考案は、請求項１に記載の爪を利用した健康チェック機において、被測定者の指の高さを変更し、照明光軸が反射光軸に折り返す基点に爪の表面が来るように調整する手段を、さらに備えることを特徴とする。これは、健康チェック機の照明と反射の基点で爪の最大照度を求めようとするものである。すなわち、その人の爪で最大照度をもたらす高さ調整の方法であり、人それぞれで指の高さが異なり、その位置合わせの方法である。例えば、その基点と指の間に数枚の敷板を設ける。その指を乗せたまま、目視で、爪の置く角度と照度計の照度を読み、敷板の枚数を変えながら、その人の最大照度を測定する。使用する敷板は厚さ１ｍｍから２ｍｍ程度で黒色表面が望ましい。
【手続補正５】
【補正対象書類名】明細書
【補正対象項目名】００１１
【補正方法】変更
【補正の内容】
【００１１】
請求項４に係る考案は、請求項１に記載の爪を利用した健康チェック機において、被測定者の両手の親指の最大照度を測定する手段と、その平均照度を算出する手段と、算出した平均照度から健康度を示すランクを決定する手段とを、さらに備えることを特徴とする。上記非特許文献１には、爪が水分の影響で爪の透明度が変わることが明らかにされている。この確認を爪での健康チェック機で実験を行った結果、右手と左手はその人の手の作業状態で爪にしみこむ水分量が異なり、爪の色に影響して、爪の反射率が異なり照度に影響が出てくることが実験で確認できた。本考案の健康チェック機では、右手と左手の爪の反射率のばらつきのバランスを取るために、右手の親指と左手の親指の平均値を測定照度とする。親指を選択する理由として、万人の手の親指は５本の指の中で、最大の表面積を持っていて、その人の最大照度が得られ、さらに、その人の親指の爪の特徴が大きく現れているからである。